【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
光発電を行なうとともに外縁部に太陽電池パネル凹部および太陽電池パネル凸部を有する太陽電池パネルと、前記太陽電池パネルを保持するパネル支持枠と、前記パネル支持枠の外縁部に設けたパネル支持枠リブとを有し、
前記パネル支持枠リブには、内周方向にひさし状に張り出すとともに、該ひさし状の張り出しの下部の間隙で前記太陽電池パネル凸部の断面方向を保持する太陽電池パネルフックを設け、
前記太陽電池パネルフックの太陽電池パネルフック内周寸法は、前記太陽電池パネル凸部の太陽電池パネル凸部外周寸法より小さく、かつ前記太陽電池パネル凹部の太陽電池パネル凹部外周寸法より大きくなるように設定し、
前記太陽電池パネルフックと前記太陽電池パネル凹部を位置合わせして前記太陽電池パネルを前記パネル支持枠に載置した後、前記太陽電池パネルを所定角度変位させて前記太陽電池パネルフックと前記太陽電池パネル凸部を重ねることによって前記太陽電池パネルを前記パネル支持枠で保持することを特徴とする太陽電池パネルを有する電子機器。
【請求項２】
前記パネル支持枠のパネル支持枠内周寸法は、前記太陽電池パネル凸部の太陽電池パネル凸部外周寸法より大きくなるように設定したことを特徴とする請求項１に記載の太陽電池パネルを有する電子機器。
【請求項３】
前記パネル支持枠の前記パネル支持枠リブの間に設けられた切欠きを有し、
前記切欠きに前記太陽電池パネル突出部を位置させることにより、前記パネル支持枠に対する前記太陽電池パネルの載置可能位置としたことを特徴とする請求項１または２に記載の太陽電池パネルを有する電子機器。
【請求項４】
前記切欠きに前記太陽電池パネル突出部を位置させて前記パネル支持枠に前記太陽電池パネルの載置した後、前記太陽電池パネルを所定角度変位させて前記太陽電池パネルフックと前記太陽電池パネル凸部を重ねた状態では、前記太陽電池パネル突出部が前記パネル支持枠リブに接していることを特徴とする請求項３に記載の太陽電池パネルを有する電子機器。
【請求項５】
前記パネル支持枠を保持するための基台となる支持台をさらに有しており、
前記太陽電池パネルに設ける太陽電池パネル位置決め穴と、前記パネル支持枠に設ける
パネル支持枠位置決め穴と、前記支持台に設けるパネル支持枠位置決めボスを有し、
前記太陽電池パネルを保持した前記パネル支持枠を前記支持台に位置合わせした状態では、前記太陽電池パネル位置決め穴と前記パネル支持枠位置決め穴と前記パネル支持枠位置決めボスの位置が合致し、
前記支持台と前記パネル支持枠とを係合した状態では、前記パネル支持枠位置決めボスは前記太陽電池パネル位置決め穴および前記パネル支持枠位置決め穴を挿通することを特徴とする請求項１〜４のいずれか１項に記載の太陽電池パネルを有する電子機器。
【請求項６】
前記太陽電池パネル位置決め穴は、前記太陽電池パネルの外縁部の太陽電池パネル突出部に設けるとともに、ほぼＵ字形の平面形状であることを特徴とする請求項５に記載の太陽電池パネルを有する電子機器。
【請求項７】
前記太陽電池パネルの視認側に配設する化粧板を有し、
前記支持台の外縁部には、前記パネル支持枠と前記太陽電池パネルを挿通する化粧板支持突起を有し、
前記化粧板の化粧板凸部を前記化粧板支持突起の先端部によって支持する
ことを特徴とする請求項５または請求項６に記載の太陽電池パネルを有する電子機器。
【請求項８】
前記化粧板に設ける化粧板固定用穴と、前記化粧板支持突起の先端に設ける化粧板位置決めボスを有し、
前記化粧板固定用穴に前記化粧板位置決めボスを挿通することにより前記化粧板を前記支持台にて保持する
ことを特徴とする請求項７に記載の太陽電池パネルを有する電子機器。
【請求項９】
前記化粧板の外縁部の前記太陽電池パネルフックと対応する位置に設ける化粧板凹部を有し、
前記太陽電池パネルフックと前記化粧板凹部とは平面的に重ならない
ことを特徴とする請求項７または請求項８に記載の太陽電池パネルを有する電子機器。
【請求項１０】
情報を表示するための表示パネルをさらに備え、
前記パネル支持枠に設けたパネル支持枠フックと、前記支持台に設けたパネル支持枠掛け部を有し、
前記パネル支持枠フックと前記パネル支持枠掛け部を係合することによって、前記支持台と前記パネル支持枠との間に前記表示パネルを挟持する
ことを特徴とする請求項１ないし６のいずれか１項に記載の太陽電池パネルを有する電子機器。
【手続補正２】
【補正対象書類名】明細書
【補正対象項目名】００１１
【補正方法】変更
【補正の内容】
【００１１】
上記目的を達成するために、本発明の太陽電池パネルを有する電子機器は、下記記載の手段を採用する。
光発電を行なうとともに外縁部に太陽電池パネル凹部および太陽電池パネル凸部を有する太陽電池パネルと、前記太陽電池パネルを保持するパネル支持枠と、前記パネル支持枠の外縁部に設けたパネル支持枠リブとを有し、
前記パネル支持枠リブには、内周方向にひさし状に張り出すとともに、該ひさし状の張り出しの下部の間隙で前記太陽電池パネル凸部の断面方向を保持する太陽電池パネルフックを設け、
前記太陽電池パネルフックの太陽電池パネルフック内周寸法は、前記太陽電池パネル凸部の太陽電池パネル凸部外周寸法より小さく、かつ前記太陽電池パネル凹部の太陽電池パネル凹部外周寸法より大きくなるように設定し、
前記太陽電池パネルフックと前記太陽電池パネル凹部を位置合わせして前記太陽電池パネルを前記パネル支持枠に載置した後、前記太陽電池パネルを所定角度変位させて前記太陽電池パネルフックと前記太陽電池パネル凸部を重ねることによって前記太陽電池パネルを前記パネル支持枠で保持することを特徴とする太陽電池パネルを有する電子機器である。
【手続補正３】
【補正対象書類名】明細書
【補正対象項目名】００１２
【補正方法】変更
【補正の内容】
【００１２】
本発明の太陽電池パネルの保持構造によれば、太陽電池パネルを簡単な構造で電子機器組み込むことが可能となり、且つ安定して固定できるという効果を有している。
また、本発明の太陽電池パネルの保持構造によれば、太陽電池パネルと表示パネルを１つのパネル支持枠で保持している。このことで本発明の太陽電池パネルを有する電子機器は、部品点数を減らすことができ、太陽電池パネルと表示パネルとを保持するパネル支持枠の強度を確保できるという効果がある。
【手続補正４】
【補正対象書類名】明細書
【補正対象項目名】００３５
【補正方法】変更
【補正の内容】
【００３５】
図５においては、図４の載置可能位置から太陽電池パネル１０を反時計方向に変位させており、太陽電池パネル１０は図３で説明した位置（保持位置）に変位している。このため、太陽電池パネルフック２２０１に太陽電池パネル凸部１４０１が相対する。
図５に示すように、パネル支持枠２０の太陽電池パネルフック内周寸法２２０１ａを、太陽電池パネル１０の太陽電池パネル凸部外周寸法１４０１ａより小さくなるように設定する。この結果、太陽電池パネルフック２２０１と太陽電池パネル凸部１４０１は平面的に重なる。すなわち、太陽電池パネル凸部１４０１は、太陽電池パネルフック２２０１のひさし状の張り出し部の下の間隙に位置する。この結果、太陽電池パネル１０をパネル支持枠２０に対して保持することが可能となる。